(57)【要約】【課題】戸別受信機を構成する機器のいずれかに異常が発生した場合、その異常を使用者に確実に通知することができる戸別受信機を提供する。【解決手段】戸別受信機を構成する各部に異常が発生した場合、該異常が発生した旨のメッセージを出力部から出力する戸別受信機であって、前記メッセージの出力時刻を設定する時刻設定部と、前記異常が発生した場合、前記出力時刻に前記メッセージを前記出力部から出力させる制御部とを備える。【選択図】図２
2011188003.tif 000002
【特許請求の範囲】
【請求項１】
戸別受信機を構成する各部に異常が発生した場合、該異常が発生した旨のメッセージを出力部から出力する戸別受信機であって、
前記メッセージの出力時刻を設定する時刻設定部と、
前記異常が発生した場合、前記出力時刻に前記メッセージを前記出力部から出力させる制御部と
を備える戸別受信機。
【発明の詳細な説明】
【技術分野】
【０００１】
本発明は、防災情報等を受信する戸別受信機に関するものである。
【背景技術】
【０００２】
従来の戸別受信機は、通常家庭用ＡＣ電源により動作しており、また、停電時に動作することができるように補助電池が備えられている。このような戸別受信機は、通常の使用状態では家庭用ＡＣ電源を用いているため、使用者に補助電池の寿命が残り少ないことを認識させることができなかった。
【０００３】
そこで、補助電池の電圧低下を検出した後に、補助電池の寿命が短い旨を使用者に通知する戸別受信機が提案されており、例えば、災害情報等の放送直後に補助電池の寿命が短い旨のメッセージを通知する戸別受信機が挙げられる。
【０００４】
関連する技術としては、例えば、下記特許文献１が挙げられる。
【先行技術文献】
【特許文献】
【０００５】
【特許文献１】特開２００６−２４６０４０号公報
【発明の概要】
【発明が解決しようとする課題】
【０００６】
しかし、前述の戸別受信機では、放送終了時に使用者が戸別受信機の周辺に滞在していない場合、補助電池の寿命が短い旨のメッセージを認識することができない。このため、寿命の短い補助電池を交換することができず、停電時に防災情報等を聞くことができなかった。また、補助電池の寿命を知らせる場合に限らず、補助電池以外の戸別受信機を構成する機器の異常を使用者に通知する場合にも、使用者が機器の異常を認識することができないという問題があった。
【０００７】
本発明は上述した問題点を解決するためになされたものであり、戸別受信機を構成する機器のいずれかに異常が発生した場合、その異常を使用者に確実に通知することができる戸別受信機を提供することを目的とする。
【課題を解決するための手段】
【０００８】
上述した課題を解決するため、本発明の戸別受信機は、戸別受信機を構成する各部に異常が発生した場合、該異常が発生した旨のメッセージを出力部から出力する戸別受信機であって、前記メッセージの出力時刻を設定する時刻設定部と、前記異常が発生した場合、前記出力時刻に前記メッセージを前記出力部から出力させる制御部とを備える。
【発明の効果】
【０００９】
以上に詳述したように本発明によれば、戸別受信機を構成する機器のいずれかに異常が発生した場合、その異常を使用者に確実に通知することができる。
【図面の簡単な説明】
【００１０】
【図１】本実施の形態に係る戸別受信機の斜透視図である。
【図２】本実施の形態に係る戸別受信機のハードウェア構成を示すブロック図である。
【図３】本実施の形態に係る戸別受信機の動作を示すフローチャートである。
【発明を実施するための形態】
【００１１】
以下、本発明の実施の形態について図面を参照しつつ説明する。以下の説明では、戸別受信機に備えられた補助電池の電圧が低下したという異常を例として説明する。
【００１２】
本実施の形態に係る戸別受信機１の構成について説明する。図１は本実施の形態に係る戸別受信機１の斜透視図である。図１に示すように、戸別受信機１は、筐体２、スピーカ３、時刻設定部４、ＲＯＭ５、不揮発性メモリ６、文字表示部７ａ及び発光部７ｂを備える。
【００１３】
スピーカ３は受信した災害情報等の放送や電池交換メッセージを出力する。時刻設定部４は電池交換メッセージを出力する時刻を設定する。また、時刻設定部４は時計と同じ機能を備え、受信した放送に重畳されている時間情報により時刻を調整することができる。ＲＯＭ５は電池交換メッセージを格納する。不揮発性メモリ６は時刻設定部４で設定された電池交換メッセージの出力時刻を保存する。文字表示部７ａは電池交換メッセージを文字情報として表示する。発光部７ｂはライトやＬＥＤ等からなり、電池交換メッセージを光により使用者に通知する。
【００１４】
なお、本実施の形態に係る電池交換メッセージとは、例えば、スピーカ３によるＢｅｅｐ音、文字表示部７ａによる文字表示、発光部７ｂによる光の点灯や点滅等を表す。
【００１５】
次に、戸別受信機１のハードウェア構成について説明する。図２は、本実施の形態に係る戸別受信機のハードウェア構成を示すブロック図である。戸別受信機１は、スピーカ３、時刻設定部４、ＲＯＭ５、不揮発性メモリ６、前述の文字表示部７ａ及び発光部７ｂからなる表示装置７、アンテナ８、受信機９、補助電池１０、検出装置１１及び制御部１２を備える。なお、以下では、前述と重複する構成の説明を省略する。
【００１６】
受信機９は災害情報等の放送をアンテナ８を介して受信する。補助電池１０は停電時に家庭用ＡＣ電源の変わりに用いられる電源であり、例えば乾電池やバッテリ等が挙げられる。検出装置１１は補助電池１０の電圧を測定して制御部１２に送信する。制御部１２はＣＰＵ（Ｃｅｎｔｒａｌ  Ｐｒｏｃｅｓｓｉｎｇ  Ｕｎｉｔ）からなり、戸別受信機１を構成する各部の機能を制御する。
【００１７】
次に、戸別受信機１の動作について説明する。図３は、本実施の形態に係る戸別受信機１の動作を示すフローチャートである。なお、以下では、図２に示す時刻設定部４、ＲＯＭ５、不揮発性メモリ６、及び制御部１２を用いて説明し、スピーカ３及び表示装置７を総称して出力部ということにする。
【００１８】
まず、使用者は戸別受信機１の電源を入れ、時刻設定部４により電池交換メッセージの出力時刻を設定する。そして、制御部１２は、使用者により設定された電池交換メッセージの出力時刻を取得し、不揮発性メモリ６に保存する（Ｓ１）。
【００１９】
次に、制御部１２は検出装置１１から補助電池１０の電圧値を取得する（Ｓ２）。そして、制御部１２は補助電池１０の電圧値に基づいて補助電池１０を交換する必要があるか否か判断する（Ｓ３）。具体的には、制御部１２は、補助電池１０の電圧値が戸別受信機１の駆動に十分な値を示すか否かを判断する。補助電池１０の電圧値が所定値以上の値を示し、制御部１２が補助電池１０を交換する必要がないと判断した場合（Ｓ３、ｎｏ）、Ｓ２に戻る。一方、補助電池１０の電圧値が所定値以下の値を示し、制御部１２が補助電池１０を交換する必要があると判断した場合（Ｓ３、ｙｅｓ）、制御部１２は不揮発性メモリ６から電池交換メッセージの出力時刻を取得する（Ｓ４）。
【００２０】
そして、制御部１２はＲＯＭ５から電池交換メッセージを取得し（Ｓ５）、不揮発性メモリ６から取得した出力時刻に電池交換メッセージを出力部に出力させる（Ｓ６）。
【００２１】
以上のように、戸別受信機１は、使用者が戸別受信機１の周辺に滞在しており、電池交換メッセージの出力を認識できる時刻に合わせて電池交換メッセージを出力するため、使用者に電池交換メッセージを確実に通知することができる。このため、使用者は補助電池１０を新品の電池等に交換することができ、停電時においても戸別受信機１により防災情報等を聞くことが可能になる。
【００２２】
本実施の形態では、電池交換メッセージをＲＯＭ５に格納しているが、電池交換メッセージを不揮発メモリ６に格納してもよい。また、戸別受信機１が時刻設定部４及び制御部１２を備える構成としているが、制御部１２に時刻設定部４の機能を代用させてもよい。このような構成にすることにより戸別受信機１のコストの低減を実現することができる上、戸別受信機１の構成機器の数が減少するために戸別受信機１の異常の発生率が低減する。
【００２３】
また、本実施の形態では、戸別受信機１に備えられた補助電池１０の電圧が低下したという異常を例として説明したが、スピーカ３等の構成機器に異常が発生した場合でも異常が発生した旨のメッセージを出力してもよい。この場合、検出装置１１には検出する異常に応じて適宜回路を選択すること必要がある。また、例えばスピーカ３に異常が発生したような場合には、表示装置７によりスピーカ３に異常が発生した旨のメッセージを出力することになる。
【００２４】
さらに、異常が発生した旨のメッセージを出力する時刻が災害情報等の放送時刻と同一時刻になった場合には、放送の途中若しくは放送終了後にメッセージを出力してもよい。
【符号の説明】
【００２５】
１  戸別受信機、２  筐体、３  スピーカ、４  時刻設定部、５  ＲＯＭ、６  不揮発性メモリ、７ａ  文字表示部、７ｂ  発光部、７  表示装置、８  アンテナ、９  受信機、１０  補助電池、１１  検出装置、１２  制御部。
【図１】
2011188003.tif 000003
【図２】
2011188003.tif 000004
【図３】
2011188003.tif 000005